(57)【要約】【課題】水中用毛ばりの遊泳姿勢をテストする際、準備に時間を要すること無く、コンパクトで持ち運びに便利で、また、水が容器外にあふれ出すことも無く、更に水中用毛ばりに遊泳姿勢を持続させ、更にその遊泳姿勢を、全方向、全角度から確認することを可能とすることを提供する。【解決手段】本体に、水道口に接続される入水孔と、排水孔と、傾斜板と、カギ型板と、つると、挟持部を設け、更に、前記傾斜板に穴を設ける。また、底部、および前記傾斜板は鏡面を有する。更にまた、本体と、水道口に接続される入水孔と、排水孔と、傾斜板と、カギ型板と、つるを透明素材で構成する。【選択図】図１
2005058121.tif 000002
【特許請求の範囲】
【請求項１】
本体に、水道口に接続される入水孔と、排水孔と、傾斜板と、カギ型板と、つると、挟持部を設けたことを特徴とする水中用毛ばりテスト器。
【請求項２】
前記傾斜板に穴を設けたことを特徴とする請求項１記載の水中用毛ばりテスト器。
【請求項３】
本体が透明素材で構成され、底部、および前記傾斜板に鏡面を有することを特徴とする請求項１ないし、請求項２記載の水中用毛ばりテスト器。
【請求項４】
水道口に接続される入水孔と、排水孔と、傾斜板と、カギ型板と、つるが透明素材で構成されることを特徴とする請求項１ないし、請求項２ないし、請求項３記載の水中用毛ばりテスト器。
【発明の詳細な説明】
【技術分野】
【０００１】
この発明は、フライフィッシング（西洋毛ばり釣り）でフライと称される毛ばりのうち、主に小魚を模し、水中に沈めて使用する水中用毛ばりの遊泳姿勢のテストを容易にすることを可能にした、水中用毛ばりテスト器に関する。
【背景技術】
【０００２】
フライフィッシングに使用する水中用毛ばりは、水中での遊泳姿勢が釣果に大きく影響するため、より良い釣果を望むためには、製作した水中用毛ばりの遊泳姿勢を事前にテストする必要がある。
【０００３】
従来、自宅で水中用毛ばりの遊泳姿勢をテストする際は、図１２が示すように、お風呂のバスタブ、もしくは、それと同等の大きさを有する容器一杯に水をはり、釣り糸の結ばれた水中用毛ばりを手で引導して遊泳させ、テストしていた。
【発明の開示】
【発明が解決しようとする課題】
【０００４】
しかしながら、以上の技術によれば、お風呂のバスタブ、もしくは、それと同等の大きさを有する容器を必要とするため、持ち運びが不便、あるいは不可能であり、また、たった一つの水中用毛ばりの遊泳姿勢をテストするのみのためにも容器一杯に水をはる必要があり、準備に時間を要し、また不経済であった。
【０００５】
更に、水中用毛ばりを遊泳させるためには、水中用毛ばりの結ばれた釣り糸を手で引導する必要があり、片手を絶えず動かしていなければならないという煩わしさがあった。
【０００６】
更にまた、容器の端から端までの僅かな移動距離の間でしか水中用毛ばりに遊泳姿勢を実行させることが出来なかった。
【０００７】
更にまた、水中用毛ばりの遊泳姿勢を上方向からしか確認することが出来ず、それは魚の目線とは程遠いものであり、正確な遊泳姿勢を把握することが出来なかった。
そこで、この発明は、コンパクトで持ち運びに便利で、準備に時間を要すること無く、更に水中用毛ばりに遊泳姿勢を持続させ、更にその遊泳姿勢を、全方向、全角度から確認することを可能とすることを提供することを課題とする。
【課題を解決するための手段】
【０００８】
以上の課題を解決するために、第一発明は、本体に、水道口に接続される入水孔と、排水孔と、傾斜板と、カギ型板と、つると、挟持部を設けたことを特徴とする水中用毛ばりテスト器である。
また、第二発明は、前記傾斜板に穴を設けたことを特徴とする水中用毛ばりテスト器である。
また、第三発明は、本体が透明素材で構成され、底部、および前記傾斜板に鏡面を有することを特徴とする水中用毛ばりテスト器である。
また、第四発明は、水道口に接続される入水孔と、排水孔と、傾斜板と、カギ型板と、つるが透明素材で構成されることを特徴とする水中用毛ばりテスト器である。
【発明の効果】
【０００９】
第一発明によれば、本体に、水道口に接続される入水孔と、排水孔と、傾斜板と、カギ型板を設けたので、傾斜板が水中用毛ばりに必要な水位を確保しつつも、必要以上の余分な水は、排水孔より常に排水されるため、本体内に余分な水が溜ることが無く、また、傾斜板にそって持ち上げられた強い勢いの水流が本体外にあふれ出ようとするのを、カギ型板が防ぐため、水が本体外にあふれ出ることも無い。したがって本体をコンパクトにすることが可能であり、携帯性に優れる。また、コンパクトである故、数秒で水中用毛ばりの遊泳に必要な水位を確保することが出来るので、準備に時間を要すことも無く、また、水の使用量を節約出来、経済的である。
【００１０】
更に、本体に挟持部と、前記水道口に接続される入水孔の正面につるを設けたので、本体内に水を送り込むと、つるの位置、形状により、釣り糸の結ばれた水中用毛ばりを水道口に接続される入水孔の正面中央に誘導、及び保持することが出来、また、釣り糸のもう一端を挟持部で挟み止めることにより、両手ともにふさがることが無く、また遊泳姿勢を持続することが出来、今迄のように水中用毛ばりを手で引導する必要が無い。またこの時傾斜板と、カギ型板が本体内を逆流する流れを防いでいるため、水中用毛ばりは正しい遊泳姿勢を実行、および、持続することが出来る。
【００１１】
第二発明によれば、前記傾斜板に穴を設けたので、傾斜板にそって持ち上げられた水の一部が穴より流れ落ちることで、水流の勢いを軽減し、ひいては逆流する流れの発生を軽減するため、傾斜板と、カギ型板が本体内を逆流する流れを防ぐことを補助している。
【００１２】
第三発明によれば、本体が透明素材で構成され、底部、および前記傾斜板に鏡面を有するので、水中用毛ばりの遊泳姿勢を、上方向からだけで無く、全方向、全角度から確認することが出来る。
【００１３】
第四発明によれば、水道口に接続される入水孔と、排水孔と、傾斜板と、カギ型板と、つるが透明素材で構成されているため、視界を妨げられること無く、水中用毛ばりの遊泳姿勢を確認することが出来る。
【発明を実施するための最良の形態】
【００１４】
この発明の一実施形態を、図１、および図２に示す。
本体１は透明素材で構成されており、この本体１の側面には、水道口に接続される入水孔２、また、そのとい面には排水孔３が設けられている。排水孔３は、本体１の側面の最下位置に設けられ、また排水孔３の断面積は、水道口に接続される入水孔２の断面積よりも広く設定してある。また傾斜板４が本体１内部に設けられ、排水孔３側に傾斜している。尚、傾斜板４は、表面に傾斜板鏡面４bを有し、更に上部には、傾斜板穴部４aが設けられている。また、傾斜板４上方に位置する場所に、断面がカタカナの「フ」の字状のカギ型板５が設けられている。また、水道口に接続される入水孔２正面中央には、つる６が設けられており、このつる６は、中心より、「く」の字に屈折している。また、本体１の水道口に接続される入水孔２を有する側面には、挟持部７が設けられている。また、本体１の底部は、底部鏡面８を有している。尚、傾斜版鏡面４b、および底部鏡面８は、水道口に接続される入水孔２を有する側面から見て、底面に対して平行ではなく、傾斜して取り付けられている。また、水道口に接続される入水孔２と、排水孔３と、傾斜板４と、カギ型板５と、つる６は透明素材で構成されている。
【００１５】
「実施形態の効果」
この実施形態によれば、本体１をコンパクトにすることが可能であり、携帯性に優れ、更に、コンパクトである故、数秒で水中用毛ばりの遊泳に必要な水位を確保することが出来るので、準備に時間を要すことも無く、また、水の使用量を節約出来、経済的である。
【００１６】
しかしながら、単に容器をコンパクトにしただけでは問題の解決にはならない。何故ならば、水中用毛ばりは図８が示すように、前方からの水の抵抗１３aを受けた状態でのみ遊泳姿勢を実行するからである。
【００１７】
そのため従来は、図１２が示すように、釣り糸の結ばれた水中用毛ばりを手で引導し、容器内の水中を移動させることにより前方からの水の抵抗をあたえていた。しかし、この方法は、お風呂のバスタブ、もしくは、それと同等の大きさを有する容器でのみ可能であり、水中用毛ばりの移動距離を確保出来ないコンパクトな容器では不可能であった。
【００１８】
この発明は、水中用毛ばりを移動させるのでは無く、水中用毛ばりを水中に保持し、その前方から水流をあたえることで、水中用毛ばりに前方からの水の抵抗をあたえている。
【００１９】
図７はその方法を示したものである。釣り糸１４の結ばれた水中用毛ばり１２を本体１の第一スペース９に入れる。この時、水中用毛ばり１２を、つる６より、水道口に接続される入水孔２側に入れる。こうすることで釣り糸１４、および水中用毛ばり１２は、水流１３を受けると、つる６の下をくぐることになる。そして釣り糸１４のもう一端を挟持部７に挟み止める。これで両手ともにふさがること無く、自由になる。
【００２０】
そして、水道口に接続される入水孔２と、水道の蛇口１８とをホース１９でつなぎ、水道の蛇口１８を開口し、水、および、それに伴う水流１３を第一スペース９内に送ると、水中用毛ばり１２は、水流により持ち上げられ、また、つる６の形状が「く」の字であるため、水流により自然につる６の中心の屈折部、即ち、水道口に接続される入水孔２の正面中央に誘導され、前方からの水流、つまり前方からの水の抵抗をあたえることが出来るのである。
【００２１】
ここで重要なことは、第一スペース９内を逆流する流れ、つまり水中用毛ばり後方からの水の抵抗があってはならないということである。何故ならば、図９が示すように、
水中用毛ばりは、後方からの水の抵抗１３bを受けると正しい遊泳姿勢を実行出来ないばかりか、その水の抵抗が強いものであれば、遊泳そのものが不可能となってしまうのである。
【００２２】
単にコンパクトで、入水孔、排水孔を設けただけの容器であれば、水流は必ず、とい面に衝突し、跳ね返り、容器内に強い勢いの逆流する流れが発生し、水中用毛ばりに後方からの水の抵抗をあたえてしまう。これでは水中用毛ばりの遊泳は不可能である。
【００２３】
図４は、本体１内の水流の方向を示したものである。水道口に接続される入水孔２より第一スペース９に送り込まれた水流１３は、水中用毛ばり１２に前方からの水の抵抗をあたえ、そして傾斜板４に達する。傾斜板４は水流１３に対して角度が付けられているため、水流１３は第一スペース９に跳ね返ること無く、傾斜板４の傾斜角度にそって、第二スペース１０に達する。ここで水流１３は、その勢いを弱め、その大半は第三スペース１１へと流れ落ち、排水孔３より排水されるのである。
【００２４】
しかし、一部の水流は、弱い勢いではあるが、第二スペース１０内で、逆流する流れ
１３cとなって、第一スペース９へと戻ろうとする。
【００２５】
この逆流する流れ１３cを、せき止める役割を果たしているのが、カギ型板５である。
第二スペース１０内で発生した逆流する流れ１３cは、カギ型板５によってせき止められ、また、せき止められることによってその勢いを更に弱める。勢いを弱めた逆流する流れ１３cは、新たに第二スペース１０に送り込まれてくる強い水流によって、再び第二スペース１０の奥へと押し戻され、第一スペース９に戻ることは許されず、最終的には、
第三スペース１１へ流れ落ちるのである。
【００２６】
更に、傾斜板４上部には、傾斜板穴部４aが設けられており、傾斜板４にそって持ち上げられた水の一部が、傾斜板穴部４aから第三スペース１１に流れ落ちることにより（傾斜板穴部４aから第三スペース１１への水流１３d）、水流１３の勢いを軽減し、ひいては、第二スペース１０での逆流する流れの発生そのものを軽減しているのである。
尚、この発明における逆流する流れ１３cとは、最低限、水中用毛ばり１２の遊泳に影響をおよぼす勢いを持った水流のことを指している。
【００２７】
更に、図７に示したこの方法は、水道の蛇口１８の開閉の度合によって、水流の強弱を容易に調節出来るというメリットがある。
【００２８】
実際の釣り場、例えば河川であれば、場所、水量、川底の地形等によって、流速は変化するし、また、湖であれば、魚の活性、天気等によってリトリーブスピード（水中用毛ばりを手前に引き寄せる早さ）も変化する。つまり、実際の釣り場において、水中用毛ばりが受ける水の抵抗の強さは一定では無いのである。
【００２９】
図７に示したこの方法ならば、水道の蛇口１８を大きく開口すれば、早い流速、および、ファーストリトリーブ時（早い速度で水中用毛ばりを手前に引き寄せること）の遊泳姿勢を再現出来、水道の蛇口１８を小さく開口すれば、遅い流速、およびスローリトリーブ時（遅い速度で水中用毛ばりを手前に引き寄せること）の遊泳姿勢を再現出来るのである。
【００３０】
また、この発明は、本体１の上側は一部カギ型板５によって覆われてはいるが、大部分は開放されている。にもかかわらず、たとえ水道の蛇口１８を全開にし、大量の水と、相当に強い勢いの水流を第一スペース９に送り込んでも、絶対に水が本体１外にあふれ出すことが無いように出来ている。
【００３１】
尚、本体１の上側が開放されているということは、複数の水中用毛ばりを次から次へと
テストする場合、密閉された容器では、その都度、蓋の開閉をしなければならないという
煩わしさを回避するうえで重要なことなのである。
【００３２】
水が本体１外にあふれ出すことを防ぎ、かつ、水中用毛ばりが遊泳するために必要十分な水位を確保するために、本体１の高さよりも傾斜板４の頂点の高さを低く設定し、更に、水道口に接続される入水孔２の断面積よりも、第二スペースへの入口１６の面積、および第三スペースへの入口１７の面積、および、排水孔３の断面積を広く設定する。また、傾斜板４の上方に位置する場所に設けられたカギ型板５も、水があふれ出すことを防ぐために重要な役割を果たしている。
【００３３】
図５は、少量の水、および、弱い勢いの水流を本体１内に送った時の水位を示したものである。弱い勢いの水流の多くは、傾斜板４に達するまでに、その勢いを失い、第一スペースの水位１５aを上げていくが、水道口に接続される入水孔２の断面積よりも、第二スペースへの入口１６の面積を広く設定してあるため、第一スペースの水位１５aと第二スペースの水位１５bは同水位を保ったまま水位を上げ、双方の水位が傾斜板４の頂点に達すると、水は第三スペース１１に流れ落ちる。つまり少量の水、および、弱い勢いの水流を送った時の本体１内の最高水位は傾斜板４の頂点であり、即ち、水が本体１外にあふれ出すことは無いのである。
【００３４】
尚、傾斜版４の上部には、傾斜板穴部４aが設けられているが、傾斜版穴部４aの面積は、水道口に接続される入水孔２の断面積よりも小さく設定されているため、この傾斜版穴部４aの位置が本体１内の最高水位となることは無い。
【００３５】
図６は、大量の水、および、強い勢いの水流を本体１内に送った時の水位を示したものである。強い勢いの水流の多くは、その勢いを保ったまま傾斜板４に達するため、第一スペースの水位１５cは、弱い勢いの水流を送った時よりも、やや低くなる。強い勢いを保ったまま傾斜板４に達した水流は、傾斜版４によって第二スペース１０へと持ち上げられ、本体１外にあふれ出ようとするが、カギ型板５によりせき止められ、その勢いを弱め、第三スペース１１に流れ落ちるのである。また、第二スペースの水位１５dは、第二スペース１０内一杯になるが、水道口に接続される入水孔２の断面積よりも、第三スペースへの入口１７の面積を広く設定してあるため、第二スペース１０内の水流が、第一スペース９に逆流する前に、第三スペース１１に流れ落ちる。即ち、大量の水、および、強い勢いの水流を送り込んでも、水が本体１外にあふれ出すことは無いのである。
【００３６】
尚、このとき傾斜版穴部４aは、前記したように水流の勢い、および第二スペース１０での逆流する流れの発生を軽減する役割のほか、第二スペース１０内の水を効率良く第三スペース１１へと送る補助的役割もはたしている。
【００３７】
また、この発明は、本体１の側面全てが透明素材で構成され、更に、第一スペース９の底部に、底部鏡面８、および、傾斜板４の表面に、傾斜板鏡面４bを有するため、水中用毛ばりの遊泳姿勢の全方向、全角度からの確認を可能にしている。
【００３８】
図１０は、この発明の傾斜版鏡面４b、および、底部鏡面８への水中用毛ばり１２の映り方を示したものである。傾斜版鏡面４b、および、底部鏡面８は、水道口に接続される入水孔２を有する側面から見て、底面に対して、平行ではなく、傾斜して取り付けられているため、本体１側面から、底部鏡面８に映った水中用毛ばり１２a、および、傾斜版鏡面４bに映った水中用毛ばり１２bを確認出来るのである。
【００３９】
尚、もし傾斜版鏡面４b、および、底部鏡面８を、底面に対して傾斜角度をつけずに平行に取り付けてしまうと、水中においての鏡の性質上、本体１側面から見ても、傾斜版鏡面４b、および、底部鏡面８には、水中用毛ばり１２は映らないのである。
【００４０】
底部鏡面８によって下方向から、更に、傾斜板鏡面４bによって後方向からの水中用毛ばりの遊泳姿勢の確認を可能としたことは、画期的で、有意義なことである。何故ならば、それがまさにフライフィッシングの主な対照魚であるヤマメ、イワナ、ニジマス等の鱒類が水中で獲物を捕食する時の視線であるからである。
【００４１】
ヤマメ、イワナ、ニジマス等の鱒類は、自分達の目線よりも上位に位置する餌を捕食する。これは鱒類の口の形状から見ても解る事実である。
【００４２】
つまり、図１１で示すように、鱒類は、水中用毛ばりを下方向から発見し、斜め下、後
方を追尾し、それが本物の餌か否か判断するのである。即ち、魚を釣る上で、下方向、および、後方からの水中用毛ばりの遊泳姿勢が最も大切なのである。このことから、上方向からの確認しか出来なかった従来の方法１２は、ある意味、無意味なことであったと言わざるをえないのである。
【００４３】
尚、水道口に接続される入水孔２と、排水孔３と、傾斜板４と、カギ型板５と、つる６は透明素材で構成されているため、視界を妨げることが無く、水中用毛ばりの遊泳姿勢の確認を、より快適なものとしている。
【００４４】
「他の実施形態」
図１、および図２の実施形態では、水道口に接続される入水孔２と、排水孔３は円筒状のものであったが、他の実施形態では、角筒状のものであってもよい。
【００４５】
図１、および図２の実施形態では、傾斜板穴部４aは四角形で、一つであったが、他の実施形態では、円状であっても、または複数であってもよい。
【００４６】
図１、および図２の実施形態では、傾斜版鏡面４b、および、底部鏡面８は平面であったが、他の実施形態では、曲面を有するもの、または複数の平面を有するものであってもよい。
【図面の簡単な説明】
【００４７】
【図１】この発明の水道口に接続される入水孔方向からの斜視図である。
【図２】この発明の排水孔方向からの斜視図である。
【図３】この発明の断面図である。
【図４】この発明の本体１内の水流の方向を示したものである。
【図５】この発明の本体１内に少量の水、および、弱い勢いの水流を送った時の水位を示したものである。
【図６】この発明の本体１内に大量の水、および、強い勢いの水流を送った時の水位を示したものである。
【図７】この発明の一使用法を示したものである。
【図８】前方から水の抵抗を受けた水中用毛ばりの遊泳姿勢を示したものである。
【図９】前方、および、後方から水の抵抗を受けた水中用毛ばりの遊泳姿勢を示したものである。
【図１０】この発明の傾斜版鏡面４b、および底部鏡面８への水中用毛ばり１２の映り方を示したものである。
【図１１】水中用毛ばりを追尾する際の鱒類の視線を示したものである。
【図１２】従来の方法を示したものである。
【符号の説明】
【００４８】
１  本体
２  水道口に接続される入水孔
３  排水孔
４  傾斜板
４a  傾斜板穴部
４b  傾斜板鏡面
５  カギ型板
６  つる
７  挟持部
８  底板鏡面
９  第一スペース
１０  第二スペース
１１  第三スペース
１２  水中用毛ばり
１２a  底部鏡面８に映った水中用毛ばり１２
１２b  傾斜版鏡面４bに映った水中用毛ばり１２
１３  水流
１３a  前方からの水の抵抗
１３b  後方からの水の抵抗  
１３c  逆流する流れ
１３d  傾斜板穴部４aから第三スペース１１への水流
１４  釣り糸
１５  水面
１５a、c  第一スペースの水位
１５b、d  第二スペースの水位
１６  第二スペースへの入口
１７  第三スペースへの入口
１８  水道の蛇口
１９  ホース
２０  鱒類の視線
【図１】
2005058121.tif 000003
【図２】
2005058121.tif 000004
【図３】
2005058121.tif 000005
【図４】
2005058121.tif 000006
【図５】
2005058121.tif 000007
【図６】
2005058121.tif 000008
【図７】
2005058121.tif 000009
【図８】
2005058121.tif 000010
【図９】
2005058121.tif 000011
【図１０】
2005058121.tif 000012
【図１１】
2005058121.tif 000013
【図１２】
2005058121.tif 000014